(57)【要約】【課題】絞り弁操作用ケーブルの装着操作を誤つても、アウタチユーブがケーブル保持体から脱落することがない、気化器の絞り弁操作機構を得る。【解決手段】絞り弁操作用ケーブルのアウタチユーブ２１の端部を収納する収納筒１１と、スリツト１３を介して収納筒１１に連通するインナワイヤ挿通口１２とをケーブル保持体１０に配設する。ケーブル保持体１０を絞り弁レバー２３に回動可能に設けたスイベル５に対向して気化器本体２８に設ける。【選択図】　　　　　図１
2004143992.tif 000002
【特許請求の範囲】
【請求項１】
機関に混合気を供給制御する気化器の絞り弁操作機構において、絞り弁操作用ケーブルのアウタチユーブの端部を収納する収納筒と、スリツトを介して収納筒に連通するインナワイヤ挿通口とをケーブル保持体に配設し、ケーブル保持体を絞り弁レバーに回動可能に設けたスイベルに対向して気化器本体に設けたことを特徴とする気化器の絞り弁操作機構。
【請求項２】
前記ケーブル保持体に螺合した調整ボルトの端部を前記アウタチユーブの端部に対向して配設した、請求項１に記載の気化器の絞り弁操作機構。
【請求項３】
前記インナワイヤ挿通口に強度保持用のリブを設けた、請求項１に記載の気化器の絞り弁操作機構。
【請求項４】
前記ケーブル保持体を絞り弁の弁室を封止する蓋体と一体に成形した、請求項１に記載の気化器の絞り弁操作機構。
【発明の詳細な説明】
【０００１】
【発明の属する技術分野】
本発明は内燃機関の燃料供給装置、特に気化器の絞り弁操作用ケーブルの装着が簡単で、アウタチユーブとインナワイヤとの遊びの調整が容易な気化器の絞り弁操作機構に関するものである。
【０００２】
【従来の技術】
図７に示すように、従来の気化器の絞り弁操作機構は、蓋体の装着固定部８に六角ナツト１を備えたケーブル保持体２の先端外周部に保持固定用のねじ３が切られ、ケーブル保持体２の先端中心部にインナワイヤ挿通口４が設けられているので、絞り弁操作用ケーブルを装着するには、インナワイヤ挿通口４からインナワイヤの端部を引き出し、インナワイヤの端部を絞り弁レバーのスイベル５の割溝６に係止した後、保持固定用のねじ３により遊びを調整し、さらにロツクナツト７をもつて位置決め固定するものであつた。しかし、インナワイヤの端部をスイベル５の割溝６に装着するには、周囲の空間が狭いとか、割溝６が狭いなどの理由で装着性が悪い。さらに、インナワイヤ挿通口４はインナワイヤよりも大径なので、装着操作を誤るとアウタチユーブがケーブル保持体２から脱落することがあつた。
【０００３】
図８に示すように、絞り弁操作用ケーブルの装着操作性を改善するために、ケーブル保持体２の六角ナツト１、ロツクナツト７、装着固定部８などに軸方向のスリツト９を設け、インナワイヤをスリツト９からインナワイヤ挿通口４へ装着すれば、インナワイヤの端部はインナワイヤ挿通口４よりも大とすることができ、インナワイヤの端部をスイベル５の割溝６に装着する場合に、誤つてインナワイヤの端部が割溝６から外れたとしても、インナワイヤの端部はインナワイヤ挿通口４に係合して停止するので、アウタチユーブの抜けとかの問題を解決することができる。しかし、上述のスリツト９を六角ナツト１などに設けることは、装着時の強度に影響を与える。特に、ロツクナツト７にもスリツト９を設けると締付力が弱くなり、機関の振動によりロツクナツト７が緩むという問題が生ずるものであつた。
【０００４】
【発明が解決しようとする課題】
本発明の課題は上述の問題に鑑み、絞り弁操作用ケーブルの装着操作を誤つても、アウタチユーブがケーブル保持体から脱落することがない、気化器の絞り弁操作機構を提供することにある。
【０００５】
【課題を解決するための手段】
上記課題を解決するために、本発明の構成は機関に混合気を供給制御する気化器の絞り弁操作機構において、絞り弁操作用ケーブルのアウタチユーブの端部を収納する収納筒と、スリツトを介して収納筒に連通するインナワイヤ挿通口とをケーブル保持体に配設し、ケーブル保持体を絞り弁レバーに回動可能に設けたスイベルに対向して気化器本体に設けたことを特徴とする。
【０００６】
【発明の実施の形態】
本発明は絞り弁操作用ケーブルのアウタチユーブの端部を収納する収納筒をケーブル保持体に設け、該収納筒にスリツトを経て連通するインナワイヤ挿通口をケーブル保持体に併設することにより、インナワイヤの端部を絞り弁レバーのスイベルに装着する時、仮にインナワイヤが外れたとしても、インナワイヤの端部がこの外径よりも小さいスリツトに係合して停止するので、アウタチユーブはケーブル保持体に保持されて脱落することがなく、結果として装着操作性が向上するものである。
【０００７】
【実施例】
本発明を実施例に基づいて説明すると、図１〜３に示すように、本発明による気化器は吸気道４１が横貫する気化器本体２８に、吸気道４１と直交する円筒形の弁室が設けられ、該弁室に絞り孔を有するロータリ絞り弁が回動可能かつ昇降可能に嵌挿される。気化器本体２８の上端壁には弁室を閉鎖する蓋体２２が複数のボルト２７により結合される。
【０００８】
図示の実施例では、蓋体２２にロータリ絞り弁の弁軸（弁軸の上端は蓋体２２の突部６０により覆れる）と平行に、軸２９が回動可能に支持される。軸２９に結合した絞り弁レバー２３の先端にスイベル５が回動可能に支持され、絞り弁レバー２３は図示してない戻しばねの力によりアイドル停止ボルト２５の先端に当たるアイドル位置と、ケーブル保持体１０の停止壁２６に当たる全開位置との間で回動可能とされる。アイドル停止ボルト２５は蓋体２２の左側縁部の突壁５１に螺合される。図示してないが、気化器本体２８には歯車機構が内蔵される。つまり、軸２９に結合した歯車とロータリ絞り弁の弁軸に結合した歯車とが噛み合され、絞り弁レバー２３の回動によりロータリ絞り弁が回動される。上述の構成は特願　２００２−１６１７１０号などに開示されている。
【０００９】
図１，４に示すように、気化器の絞り弁操作機構のケーブル保持体１０は絞り弁レバー２３に回動可能に設けたスイベル５に対向して気化器本体２８に設けられる。気化器本体２８の蓋体２２の右側後端縁部にケーブル保持体１０が一体に形成され、ケーブル保持体１０の右半部にアウタチユーブ２１の金属などで覆われた端部２０を嵌挿するための収納筒１１と、収納筒１１の下側に収納筒１１に連なる、断面が上下方向の細長いスリツト１３と、断面長方形のインナワイヤ挿通口１２とを形成される。インナワイヤ挿通口１２は左右１対の補強リブ１４により補強され、かつスリツト１３を経て収納筒１１へ連通される。図５に示すように、ケーブル保持体１０の左半部ではスリツト１３の上側に調整ボルト１６をセルフタツピングする孔が設けられる。調整ボルト１６は収納筒１１へ突出し、スラスト座板１７を介して端部２０に当接し、収納筒１１に対する端部２０の軸方向位置を調整できるようになつている。ケーブル保持体１０の左端面はロータリ絞り弁の全開停止壁２６を構成する。
【００１０】
本発明は上述の構成をなすものであり、絞り弁操作用ケーブルを気化器に装着する場合、インナワイヤ１９の端部をインナワイヤ挿通口１２に挿通するとともに、アウタチユーブ２１の端部２０を収納筒１１へ嵌挿する。インナワイヤ１９はスリツト１３を横切るので、この状態でアウタチユーブ２１の端部２０を収納筒１１へ押し込むと、端部２０がスラスト座板１７を介して調整ボルト１６に当接し、先行するインナワイヤ１９は全開停止壁２６から突出する。そこで、インナワイヤ１９の端部をスリツト１３から引き出してスイベル５の割溝６へ係止する。図６に示すように、インナワイヤ１９にはインナワイヤ１９よりも大径の抜止め１８が結合され、抜止め１８がスイベル５の割溝６と並ぶ円筒部へ嵌合される。
【００１１】
図２に示すように、インナワイヤ１９は緩んでも、絞り弁レバー２３から上方へ突出する外れ防止壁２４により、スイベル５からの脱落が防止される。インナワイヤ１９はスリツト１３に入つているので、仮にインナワイヤ１９の端部をスイベル５の割溝６へ係止する操作を誤つても、インナワイヤ１９の端部はスリツト１３で止まり、アウタチユーブ２１が収納筒１１から外れることがなく、再度インナワイヤ１９の端部をスイベル５の割溝６に係止すればよい。インナワイヤ１９の端部をスイベル５の割溝６に装着した後、調整ボルト１６によりインナワイヤ１９の遊びを調整し、ロータリ絞り弁が図示してない戻しばねの力によりアイドル位置へ戻るように調整するのである。
【００１２】
なお、本発明は上述の実施例に限定されるものではなく、一般的なロータリ絞り弁式気化器や蝶型絞り弁式気化器にも適用できる。
【００１３】
【発明の効果】
本発明は上述のように、絞り弁操作用ケーブルのアウタチユーブの端部を収納する収納筒と、スリツトを介して収納筒に連通するインナワイヤ挿通口とをケーブル保持体に配設し、ケーブル保持体を絞り弁レバーに回動可能に設けたスイベルに対向して気化器本体に設けたものであり、インナワイヤが挿通口とスリツトを経て収納筒へ挿通されるので、絞り弁操作用ケーブルの装着性がよく、誤装着時の再装着性にも優れる。
【００１４】
また、ケーブル保持体を蓋体と一体に成形した場合は加工性と強度に優れ、ケーブル保持体にセルフタツピングする調整ボルトを備えたことにより、インナワイヤの遊び量を調整できるだけでなく樹脂材との摩擦による緩み止め効果も高いものである。
【００１５】
インナワイヤ挿通口に強度保持用のリブを設けたのでケーブル保持体の強度が強いものである。
【図面の簡単な説明】
【図１】本発明に係る絞り弁操作機構を備えた気化器の斜視図である。
【図２】同絞り弁操作機構を備えた気化器を視点を変えて示す斜視図である。
【図３】同絞り弁操作機構を備えた気化器の平面図である。
【図４】同絞り弁操作機構のケーブル保持体を備えた蓋体の側面図である。
【図５】同ケーブル保持体の後半部の側面断面図である。
【図６】同ケーブル保持体に装着されるインナワイヤの端部を示す斜視図である。
【図７】従来の絞り弁操作機構を備えた気化器の斜視図である。
【図８】従来の他の絞り弁操作機構を備えた気化器の斜視図である。
【符号の説明】
５：スイベル　６：割溝　１０：ケーブル保持体　１１：収納筒　１２：インナワイヤ挿通口　１３：スリツト　１４：リブ　１６：調整ボルト　１７：スラスト座板　１８：抜止め　１９：インナワイヤ　２０：端部　２１：アウタチユーブ　２２：蓋体　２３：絞り弁レバー　２４：外れ防止壁　２５：アイドル停止ボルト　２６：全開停止壁　２８：気化器本体　２９：軸　５１：突壁
【図１】
2004143992.tif 000003
【図２】
2004143992.tif 000004
【図３】
2004143992.tif 000005
【図４】
2004143992.tif 000006
【図５】
2004143992.tif 000007
【図６】
2004143992.tif 000008
【図７】
2004143992.tif 000009
【図８】
2004143992.tif 000010